(57)【要約】【課題】接続した配管の内部が洗浄し易くなる継手を提供する。【解決手段】清掃口付き継手５０は、管状に形成され、軸線方向の一端と他端とが水廻り器具２０からの排水を流す管材に接続される本体管部５８と、本体管部５８に形成され、本体管部５８の軸線方向に沿った寸法が、軸線方向と交差する方向の寸法よりも長い清掃口６８と、清掃口６８に嵌合して清掃口６８を閉塞する中子５４とを備えている。【選択図】図３
2018025073.tif 000002
【特許請求の範囲】
【請求項１】
管状に形成され、軸線方向の一端と他端とが水廻り器具からの排水を流す管材に接続される本体管部と、
前記本体管部に形成され、前記本体管部の軸線方向に沿った寸法が、軸線方向と交差する方向の寸法よりも長い清掃口と、
前記清掃口に嵌合して前記清掃口を閉塞する閉塞部材と、
を備える継手。
【請求項２】
前記閉塞部材は、前記清掃口に嵌合する閉塞部材と、前記閉塞部材を清掃口に押え付ける蓋とを含んで構成されている、請求項１に記載の継手。
【請求項３】
前記閉塞部材は、前記本体管部の内周方向面と段差無く繋がる湾曲面を有している、請求項２に記載の継手。
【請求項４】
前記本体管部を水平に配置した際に、前記清掃口は、前記本体管部の軸線を通る水平面の上側に形成されている、請求項１〜請求項３の何れか１項に記載の継手。
【請求項５】
横方向に延在し、水廻り器具からの排水を流す横引き管、及び前記横引き管の下流側に接続され、鉛直方向に延在する竪管を含んで構成される排水管と、
前記横引き管の排水方向下流側に接続される請求項１〜請求項４の何れか１項に記載の継手と、
を有する排水システム。
【請求項６】
前記継手は、住戸の外側に配置されている、請求項５に記載の排水システム。
【発明の詳細な説明】
【技術分野】
【０００１】
本発明は、蓋で閉塞可能な開口が形成された継手、及びその継手を用いた排水システムに関する。
【背景技術】
【０００２】
排水管の内部を洗浄する方法として、例えば、排水管の一端を外し、排水管の端部から洗浄ノズルを挿入する方法がある。しかしながら、排水管の端部を外すことが困難な場合がある。このため、排水管に、蓋で閉塞可能な開口が形成された継手を予め接続しておき、排水管内の洗浄を行う場合に、蓋を外して開口から排水管内に洗浄ノズルを挿入する方法が考えられる。蓋で閉塞可能な開口が形成された継手としては、例えば、特許文献１に開示された継手が知られている。
【０００３】
特許文献１の継手に形成された開口は、配管の径方向に沿った方向の寸法よりも配管の軸方向に沿った方向が短い長方形を呈している。
【先行技術文献】
【特許文献】
【０００４】
【特許文献１】特開２００８―２８５９２０号公報
【発明の概要】
【発明が解決しようとする課題】
【０００５】
継手、及び配管を配管の軸線に沿った断面で見たときに、配管内に挿入する洗浄ノズルのホースは、開口の外部から配管内に至る経路において湾曲させる必要がある。
特許文献１の継手では、側部に開口が形成されているが、接続する配管の径が細く、継手のサイズが配管の径に合わせて小型になると、これに対応して開口のサイズも小さくなる。
このため、小型の継手では、開口の外部から配管内に至る経路において、ホースを小さな曲率で湾曲させる必要があり、ホースが継手や配管に強く擦れてホースが挿入し難くなる場合や、ホースが折れ曲がってホースに洗浄水を流せなくなる場合があり、排水管内を洗浄することが困難になる。
【０００６】
本発明は上記事実を考慮し、接続した配管の内部が洗浄し易くなる継手、及び排水システムの提供を目的とする。
【課題を解決するための手段】
【０００７】
請求項１に記載の継手は、管状に形成され、軸線方向の一端と他端とが水廻り器具からの排水を流す管材に接続される本体管部と、前記本体管部に形成され、前記本体管部の軸線方向に沿った寸法が、軸線方向と交差する方向の寸法よりも長い清掃口と、前記清掃口に嵌合して前記清掃口を閉塞する閉塞部材と、を備えている。
【０００８】
請求項１に記載の継手は、本体管部の軸線方向の一端と他端とが水廻り器具からの排水を流す管材に接続される。通常の使用時においては、清掃口を閉塞部材で閉塞し、排水が継手外へ漏れないようにする。
【０００９】
一方、管材の内部を洗浄ノズルを用いて洗浄する場合には、閉塞部材を取り外し、一例として、清掃口から管材の内部へ洗浄ノズルを挿入する。そして、洗浄ノズルから水を噴出させながら管材へ洗浄ノズルのホースを順次送り込む。これにより、管材の内部を順次洗浄することができる。
【００１０】
請求項１の継手では、清掃口の本体管部の軸線方向に沿った寸法が、軸線方向と交差する方向の寸法よりも長いため、継手の外側から管材の内部へ至る経路において、ホースの曲がりを小さくすることができ、ホースが送り込み易くなる。また、ホースを急激に曲げなくてもよいため、ホースが折れ曲がって水が通らなくなるという不具合も抑制できる。
【００１１】
請求項２に記載の発明は、請求項１に記載の継手において、前記閉塞部材は、前記清掃口に嵌合する中子と、前記中子を清掃口に押え付ける蓋とを含んで構成されている。
【００１２】
請求項２に記載の継手では、清掃口に中子を嵌合させて清掃口を閉塞し、清掃口を閉塞した中子は、蓋で清掃口に押え付けられる。
【００１３】
請求項３に記載の発明は、請求項２に記載の継手において、前記中子は、前記本体管部の内周面と段差無く繋がる湾曲面を有している。
【００１４】
請求項３に記載の継手では、中子が、本体管部の内周面と段差無く繋がる湾曲面を有しているため、継手内を排水がスムーズに流れ、排水中の固形物が付着することを抑制できる。
【００１５】
請求項４に記載の発明は、請求項１〜請求項３の何れか１項に記載の継手において、前記本体管部を水平に配置した際に、前記清掃口は、前記本体管部の軸線を通る水平面の上側に形成されている。
【００１６】
排水中の固形物は、配管の鉛直方向下側に付着し易いが、清掃口を本体管部の軸線を通る水平面の上側に形成することで、清掃口と中子との継ぎ目を配管の鉛直方向上側に位置させることができ、排水中の固形物を付着させ難くすることができる。
【００１７】
請求項５に記載の排水システムは、横方向に延在し、水廻り器具からの排水を流す横引き管、及び前記横引き管の下流側に接続され、鉛直方向に延在する竪管を含んで構成される排水管と、前記横引き管の排水方向下流側に接続される請求項１〜請求項４の何れか１項に記載の継手と、を有する。
【００１８】
請求項５に記載の排水システムでは、水廻り器具からの排水が横引き管、及び竪管を含んで構成される排水管を介して排水される。継手は、横引き管の下流側に接続されており、竪管の上流側に位置する、言い換えれば、排水管の中間部に位置することになるので、排水管の一端部から洗浄ノズルを挿入して排水管の他端部まで到達させる場合に比較して、ホースを送り込む長さを短くでき、洗浄作業が容易になる。
【００１９】
請求項６に記載の発明は、請求項５に記載の排水システムにおいて、前記継手は、住戸の外側に配置されている。
【００２０】
請求項６に記載の排水システムによれば、継手を住戸の外側に配置しているので、住戸の外側で洗浄作業を行うことができる。
【発明の効果】
【００２１】
以上説明したように本発明の継手によれば、接続した配管の内部が洗浄し易くなる、という優れた効果を有する。
また、本発明の排水システムによれば、横引き管、及び竪管の内部が洗浄し易くなる、という優れた効果を有する。
【図面の簡単な説明】
【００２２】
【図１】サイホン排水システムの全体構成を示す側面図である。
【図２】清掃口付き継手を示す一部を断面とした斜視図である。
【図３】清掃口付き継手を示す一部を断面とした分解斜視図である。
【図４】中子と蓋を外した清掃口付き継手を示す平面図である。
【図５】中子を示す斜視図である。
【図６】図２に示す清掃口付き継手の６−６線断面図である。
【図７】洗浄ノズルを挿入した清掃口付き継手を示す断面図である。
【図８】ガイド管を挿入した清掃口付き継手を示す一部を断面にした斜視図である。
【図９】他の実施形態に係る清掃口付き継手を示す一部を断面にした斜視図である。
【発明を実施するための形態】
【００２３】
図１、乃至図７にしたがって、本発明の一実施形態に係る清掃口付き継手５０について説明する。図１には、本実施形態に係る清掃口付き継手５０が用いられたサイホン排水システム１０の全体構成が概略図にて示されている。本実施形態に係るサイホン排水システム１０は、サイホン力を利用して水回り器具からの排水を効率よく排出する排水システムである。
【００２４】
（サイホン排水システムの概略）
サイホン排水システム１０は、複数階で構成された集合住宅に用いられ、図１に示すように、排水を下方へ流す排水立て管１２を備えている。この排水立て管１２は、集合住宅の上下方向（鉛直方向）に延設され、集合住宅の各階の床スラブ１４を貫いている。なお、排水立て管１２は、住戸の内外を仕切る外壁１６の外側、例えば、メーターボックス１８の中に配置されている。本実施形態のサイホン排水システムは、集合住宅に好適に用いられるが、集合住宅以外の戸建て住宅や工場等にも用いることができる。
【００２５】
集合住宅の各階の各戸には、水回り器具２０が設けられている。この水回り器具２０は、一例としてキッチのシンクであり、排水方向下流側にディスポーザー２２、及び排水トラップ２４が接続されている。排水トラップ２４の排水方向下流側には、Ｌ字状に曲げられた第１Ｌ字配管部材２６が配置されている。第１Ｌ字配管部材２６は、排水トラップ２４に接続されて鉛直方向に延びる鉛直部２６Ａ、床スラブ１４の上に水平方向に配置されて水平方向に延びる水平部２６Ｂ、及び鉛直部２６Ａと水平部２６Ｂとを繋ぐ湾曲部２６Ｃを含んで構成されている。
【００２６】
第１Ｌ字配管部材２６の排水方向下流側には、床スラブ１４の上に配置されて水平方向、言いかえれば鉛直方向に対して直角方向に延びる横引き管部材２８が配置されている。第１Ｌ字配管部材２６と横引き管部材２８とは、継手３０を介して接続されている。
【００２７】
横引き管部材２１の排水方向下流側には、継手３２を介して後述する清掃口付き継手５０の第１接続部６０が接続されている。清掃口付き継手５０の下流側にはＬ字状に曲げられた第２Ｌ字配管部材３４が配置されている。
【００２８】
第２Ｌ字配管部材３４は、床スラブ１４の上に配置されて水平方向に延びる水平部３４Ａ、鉛直方向に延びる鉛直部３４Ｂ、及び水平部３４Ａと鉛直部３４Ｂとを繋ぐ湾曲部３４Ｃを含んで構成されている。第２Ｌ字配管部材３４は、水平部３４Ａが清掃口付き継手５０の第２接続部６２に接続されている。
【００２９】
第２Ｌ字配管部材３４の排水方向下流側には、上下方向に延びる竪管部材３６が配置されている。竪管部材３６は、排水方向下流側の端部が、継手３８を介して第２Ｌ字配管部材３４の鉛直部３４Ｂに接続されている。竪管部材３６の排水方向下流側の端部は、排水立て管１２の中間部に取付けられた合流継手４０に継手４２を介して接続されている。
【００３０】
本実施形態において、床スラブ１４の上に水平に配置されている配管部分、具体的には第１Ｌ字配管部材２６の水平部２６Ｂ、横引き管部材２８、第２Ｌ字配管部材３４の水平部３４Ａがサイホン排水管４４の横引き管４６とされ、第２Ｌ字配管部材３４の鉛直部３４Ｂ、及び竪管部材３６がサイホン排水管４４の竪管４８とされている。
【００３１】
（継手の構成）
図２、及び図３に示すように、本発明の継手の一例である清掃口付き継手５０は、本体部５２、閉塞部材としての中子５４、及び蓋５６を含んで構成されている。本実施形態の本体部５２、中子５４、及び蓋５６は、合成樹脂で成形されている。
【００３２】
本体部５２は、軸方向に一定の径で形成された筒状の本体管部５８を備えている。本体管部５８には、軸方向一端側に第１接続部６０が一体的に形成され、軸方向他端側に第２接続部６２が一体的に形成されている。
【００３３】
第１接続部６０は、本体管部５８の径よりも大径に形成されており、継手３２（図１参照）が挿入可能となっている。第２接続部６２は、本体管部５８の径よりも大径に形成されており、第２Ｌ字配管部材３４の水平部３４Ａ（図１参照）が挿入可能となっている。本実施形態の清掃口付き継手５０において、第１接続部６０と第２接続部６２とは同一形状であり、第１接続部６０の内径と第２接続部６２の内径は同一内径とされている。
【００３４】
本体管部５８の軸方向中央部には、本体管部５８の軸方向と直交する方向に延びる側管部６４が一体的に設けられている。本実施形態のサイホン排水システム１０では、側管部６４を本体管部５８の上側に位置させ、かつ側管部６４の軸方向を鉛直方向としている。側管部６４の径は、本体管部５８の径よりも大径に形成されている。
【００３５】
側管部６４と本体管部５８との間には、仕切壁６６が設けられている。仕切壁６６には、側管部６４の内部と本体管部５８の内部とを連通する清掃口６８が開口している。
【００３６】
清掃口６８は、本体管部５８の軸方向に沿って細長く形成されている。図４に示すように、清掃口６８を正面視して計測した本体管部５８の軸方向に沿った方向の清掃口６８の長さ寸法をＬ、本体管部５８の径方向（言い換えれば、軸方向に直交する方向）に沿った方向の清掃口６８の幅寸法をＷとしたときに、長さ寸法Ｌは、幅寸法Ｗよりも大となっている。なお、本実施形態において、清掃口６８の幅寸法Ｗは、本体管部５８の内径寸法Ｄ（図３参照）と同一寸法である。
また、清掃口６８は、図６に示すように、本体管部５８の中心軸ＣＬを通る水平面ＨＦから上側に形成されている。
【００３７】
図３に示すように、側管部６４の内周部には、仕切壁６６側に、内周側に突出した環状の段部７０が形成されている。一方、側管部６４の外周部には、側管部６４の端部側に雄螺子７２が形成されており、雄螺子７２の本体管部５８側には、環状溝７４が形成されている。この環状溝７４には、Ｏリング７６が装着されている。
【００３８】
図２に示すように、側管部６４の内部には、中子５４が挿入されている。図５にも示すように、中子５４は、側管部６４の内部に挿入される円筒部７８を備え、円筒部７８の軸方向一端には清掃口６８に嵌合する清掃口閉塞部８０が円筒部７８と一体的に形成されている。
【００３９】
円筒部７８には、清掃口閉塞部８０側の外周部に環状溝８２が形成されており、この環状溝８２には、Ｏリング８４が装着されている。図２、及び図６に示すように、中子５４が側管部６４の内部に挿入された状態では、Ｏリング８４が側管部６４の内周部に接触し、中子５４と側管部６４との間の隙間をシールする。
【００４０】
図２、及び図６に示すように、清掃口閉塞部８０には、本体管部５８の内周面５８Ａと連続する湾曲面８６が形成されている。図６に示すように、湾曲面８６の曲率半径ｄは、本体管部５８の内周面５８Ａの半径１／２Ｄと同一となっている。
【００４１】
蓋５６の内周部には、側管部６４の雄螺子７２に螺合する雌螺子８８と、側管部６４のＯリング７６が接触する接触部９０が形成されている。側管部６４に蓋５６を取り付けると、側管部６４のＯリング７６が蓋５６の接触部９０に接触し、側管部６４と蓋５６との間の隙間をシールする。
【００４２】
図２、及び図６に示すように、清掃口閉塞部８０が清掃口６８に嵌合するように中子５４を側管部６４に挿入し、側管部６４に蓋５６を取り付けると、中子５４は仕切壁６６と蓋５６との間に挟持され、本体管部５８の内周面５８Ａと中子５４の湾曲面８６とが段差無く繋がる。
【００４３】
（作用、効果）
次に、本実施形態のサイホン排水管４４の内部を洗浄する際の手順を以下に説明する。
（１）  先ず、水廻り器具２０からの排水を停止し、清掃口付き継手５０から蓋５６を取り外し、中から中子５４を取り出して、図７に示すように清掃口６８を露出する。
【００４４】
（２）  清掃口付き継手５０よりも上流側の横引き管４６の内部を洗浄する場合には、図７の実線で示すように、水ｗを噴射する洗浄ノズル９２を、清掃口６８から横引き管４６の内部へ向けて挿入する。そして、洗浄ノズル９２から水ｗを噴出させながら横引き管４６の上流側へホース９４を順次送り込む。これにより、横引き管４６の内部を順次洗浄することができる。なお、洗浄で使用された水ｗは、竪管４８側へ流れて排水立て管１２に排出される。
【００４５】
一方、清掃口付き継手５０よりも下流側の竪管４８の内部を洗浄する場合には、図７の２点鎖線で示すように、水ｗを噴射する洗浄ノズル９２を、清掃口６８から竪管４８の内部へ向けて挿入する。そして、洗浄ノズル９２から水ｗを噴出させながら竪管４８の下流側へホース９４を順次送り込む。これにより、竪管４８の内部を順次洗浄することができる。なお、洗浄で使用された水ｗは、竪管４８の下流側へ流れて排水立て管１２に排出される。
【００４６】
本実施形態の清掃口付き継手５０は、本体管部５８の長手方向に沿った方向の長さ寸法Ｌが、本体管部５８の内径寸法Ｄよりも長く設定されているので、側管部６４の外側から横引き管４６（または竪管４８）へ至る経路において、ホース９４の曲がり（曲率）を小さくすることができるので、ホース９４が送り込み易くなる。また、ホース９４を急激に曲げなくてもよいため、ホース９４が折れ曲がって水が通らなくなるという不具合も抑制できる。本実施形態の清掃口付き継手５０は、一般の勾配配管に比較して内径が小さいサイホン排水管４４を用いたサイホン排水システム１０に好適に用いることができる。
【００４７】
一般的に、排水中の固形物は、排水管の鉛直方向上側よりも鉛直方向下側に付着しやすい傾向がある。本実施形態の清掃口付き継手５０では、本体管部５８の中心軸ＣＬを通る水平面ＨＦから上側に清掃口６８が形成されていると共に、本体管部５８の内周面５８Ａと中子５４の湾曲面８６とが段差無く繋がっており、本体管部５８の鉛直方向下側は滑らかな配管内面となっているため、排水中の固形物が付着し難い。
【００４８】
本実施形態のサイホン排水システム１０では、清掃口付き継手５０を住戸の内外を仕切る外壁１６の外側にあるメーターボックス１８の中に配置しているため、住戸内に入らずに清掃作業を行うことができる。
【００４９】
上層階及び下層階の他の住戸からの排水は、排水立て管１２を通って排水され、洗浄作業を行うサイホン排水管４４、及び該サイホン排水管４４に繋がる清掃口付き継手５０を通らないので、上層階及び下層階の排水を停止せずに清掃作業を行うことができる。また、洗浄作業を行うサイホン排水管４４で使用した洗浄用の水ｗは、下層階の排水システムへは流れ込まず、排水立て管１２へ排水されるので、洗浄作業が下層階の住戸に影響を及ぼすことは無い。
【００５０】
なお、清掃口６８から、洗浄用の水ｗが外部へ飛散するような場合は、図８に示すように、側管部６４に飛散防止用のガイド管９６を差し込むことで、清掃口付き継手５０の外部への飛散を抑制することができる。
【００５１】
［その他の実施形態］
以上、本発明の一実施形態について説明したが、本発明は、上記に限定されるものでなく、上記以外にも、その主旨を逸脱しない範囲内において種々変形して実施可能であることは勿論である。
【００５２】
上記実施形態の清掃口付き継手５０では、本体管部５８が軸方向に一定の径で形成され、第１接続部６０と第２接続部６２とが同一形状であったが、本発明はこれに限らず、一例として、図９に示すように、本体管部５８の径を下流側へ向けて徐々に縮径させ、第１接続部６０へは継手３２を外装させ、第２接続部６２へは、継手３２よりも小径とされた第２Ｌ字配管部材３４を挿入する構成としてもよい。
【００５３】
上記実施形態では、清掃口付き継手５０をサイホン排水管４４に接続したが、下流側へ向けて傾斜する一般的な勾配配管に接続してもよい。
【符号の説明】
【００５４】
１０…サイホン排水システム、２０…水廻り器具、２８…横引き管部材（管材）、３４…第２Ｌ字配管部材（管材）、４４…サイホン排水管、４６…横引き管、４８…竪管、５０…清掃口付き継手（継手）、５４…中子（閉塞部材）、５８…本体管部、６８…清掃口、８６…湾曲面、ＨＦ…水平面
【図１】
2018025073.tif 000003
【図２】
2018025073.tif 000004
【図３】
2018025073.tif 000005
【図４】
2018025073.tif 000006
【図５】
2018025073.tif 000007
【図６】
2018025073.tif 000008
【図７】
2018025073.tif 000009
【図８】
2018025073.tif 000010
【図９】
2018025073.tif 000011